【手続補正書】
【提出日】平成26年10月10日(2014.10.10)
【手続補正１】
【補正対象書類名】特許請求の範囲
【補正対象項目名】全文
【補正方法】変更
【補正の内容】
【特許請求の範囲】
【請求項１】
対象物の磁気誘引用のシステムであって、
ａ．以下の構成要素：
ｉ．ばね弾性遠位領域及び近位領域を含むガイド要素、
ｉｉ．前記ガイド要素の前記遠位領域と前記近位領域との間に挿入される磁気機能要素、及び、
ｉｉｉ．前記ガイド要素の前記近位領域に接続される安定化要素、
を備える装置と、
ｂ．磁性粒子を有する少なくとも１つの対象物と、
を含む、システム。
【請求項２】
前記機能要素は強磁性又は電磁性であることを特徴とする、請求項１に記載のシステム。
【請求項３】
前記構成要素は遠位から近位に順次配置されることを特徴とする、請求項１又は２に記載のシステム。
【請求項４】
前記遠位領域は金属材料又は非金属材料から作製されることを特徴とする、請求項１〜３のいずれか一項に記載のシステム。
【請求項５】
前記安定化要素は円筒状設計を有することを特徴とする、請求項１〜４のいずれか一項に記載のシステム。
【請求項６】
前記安定化要素は前記ガイド要素の前記近位部分にわたって可動することができることを特徴とする、請求項１〜５のいずれか一項に記載のシステム。
【請求項７】
前記安定化要素の外径及び前記ガイド要素の前記遠位領域の外径が等しいことを特徴とする、請求項１〜６のいずれか一項に記載のシステム。
【請求項８】
前記安定化要素は前記ガイド要素の前記近位領域に可逆的に接続されることを特徴とする、請求項１〜７のいずれか一項に記載のシステム。
【請求項９】
前記安定化要素はプラスチックから作製されることを特徴とする、請求項１〜８のいずれか一項に記載のシステム。
【請求項１０】
前記安定化要素及び前記ガイド要素の前記近位領域は機械的に接続、接着結合及び／又は溶接されることを特徴とする、請求項１〜９のいずれか一項に記載のシステム。
【請求項１１】
前記磁気要素は円筒形状を有することを特徴とする、請求項１〜１０のいずれか一項に記載のシステム。
【請求項１２】
前記磁気要素は、前記ガイド要素の前記遠位領域の外径よりも大きい、該外径に等しい、又は、該外径よりも小さい、又は、０．０１ｍｍ〜０．１ｍｍ小さい外径を有することを特徴とする、請求項１〜１１のいずれか一項に記載のシステム。
【請求項１３】
前記磁気要素は検出分子を更に備えることを特徴とする、請求項１〜１２のいずれか一項に記載のシステム。
【請求項１４】
前記ガイド要素は、前記磁気要素を受け入れるように機能する受容機構を前記遠位領域と前記近位領域との間に有することを特徴とする、請求項１〜１３のいずれか一項に記載のシステム。
【請求項１５】
前記磁気要素は磁性材料を含有し、金属材料、プラスチック材料及び／又はセラミック材料を含むことができるか、又は電磁石によって提供されることを特徴とする、請求項１〜１４のいずれか一項に記載のシステム。
【請求項１６】
前記検出分子は、抗体、抗体断片、タンパク質骨格、ペプチド、核酸、受容体及び／又は無機物質を含む群から選択されることを特徴とする、請求項１〜１５のいずれか一項に記載のシステム。
【請求項１７】
ばね弾性ガイド要素の前記遠位領域は検出分子を有することを特徴とする、請求項１〜１６のいずれか一項に記載のシステム。
【請求項１８】
前記装置はカバー機構を更に備えることを特徴とする、請求項１〜１７のいずれか一項に記載のシステム。
【請求項１９】
前記カバー機構は、前記磁気要素を覆い、ホモポリマー、コポリマー、バイオポリマー、化学修飾ポリマー及び／又は合成ポリマーを含むことを特徴とする、請求項１〜１８のいずれか一項に記載のシステム。
【請求項２０】
マンドレル及び／又は他の機能要素を受け入れる長手方向内腔を有することを特徴とする、請求項１〜１９のいずれか一項に記載のシステム。
【請求項２１】
前記磁性粒子は前記対象物の表面上又は内部にあることを特徴とする、請求項１〜２０のいずれか一項に記載のシステム。
【請求項２２】
磁性粒子は球形状を有することを特徴とする、請求項１〜２１のいずれか一項に記載のシステム。
【請求項２３】
前記磁性粒子は酸化鉄を含有することを特徴とする、請求項１〜２２のいずれか一項に記載のシステム。
【請求項２４】
前記磁性粒子は０．１％〜６０％、又は５％〜５０％、又は１５％〜４０％の重量パーセント量で酸化鉄を含有することを特徴とする、請求項１〜２３のいずれか一項に記載のシステム。
【請求項２５】
対象物の磁気誘引用の誘引キットであって、
以下の構成要素：
ｉ．ばね弾性遠位領域及び近位領域を含むガイド要素、
ｉｉ．前記ガイド要素の前記遠位領域と前記近位領域との間に取り付けられる１つ又は複数の磁気要素、及び、
ｉｉｉ．前記ガイド要素の前記近位領域に接続される安定化要素、
を備える装置と、
磁性粒子を有する少なくとも１つの対象物と、
を含み、
前記ガイド要素、前記磁気要素及び前記安定化要素は遠位から近位に順次配置される、誘引キット。
【請求項２６】
血管系、膵腺の輸出腺管、涙腺、耳下腺、粘液腺の輸出腺管、混合腺、皮膚腺及び皮膚付属器腺、乳腺、脊柱管、脳室系、硬膜外腔、胆嚢及びその輸出性解剖学的構造、輸出尿路若しくはリンパ系、腹部、胸部の体腔、子宮、泌尿生殖器、又は関節、又は胃腸管における治療用細胞の磁気誘引用の、請求項１〜２５のいずれか一項に記載のシステム又はキットの使用。
【請求項２７】
内視鏡用途用の、請求項２６に記載の治療用細胞の磁気誘引用の請求項１〜２５のいずれか一項に記載のシステム又はキットの使用であって、該システム又はキットは、以下の構成要素：
ｉ．ばね弾性遠位領域及び近位領域を含むガイド要素、
ｉｉ．前記ガイド要素の前記遠位領域と前記近位領域との間に嵌まる、１つ又は複数の磁気要素、
ｉｉｉ．前記ガイド要素の前記近位領域に接続される安定化要素、
ｉｖ．アダプター、及び、
ｖ．長手方向可動シース、
を含む、システム又はキットの使用。
【請求項２８】
前記磁気装置は血管アクセスを介して血管系に導入されることを特徴とする、請求項２６又は２７に記載の治療用細胞の磁気誘引用の請求項１〜２５のいずれか一項に記載のシステム又はキットの使用。
【請求項２９】
先天性疾患、増殖性疾患、炎症性疾患、自己免疫疾患、感染性疾患、ホルモン疾患、血液及び造血器の疾患、消化管、肝臓、胆嚢、膵腺の疾患、泌尿生殖路及び腎臓の疾患、心臓の疾患、血管系及びリンパ系における病的変化、肺の疾患、中枢神経系又は末梢神経系の疾患、並びに電気刺激伝導系疾患及び神経変性疾患からなる群から選択される疾患の介入治療のための、請求項２６〜２８のいずれか一項に記載の治療用細胞の磁気誘引用の請求項１〜２５のいずれか一項に記載のシステム又はキットの使用。
【請求項３０】
前記先天性疾患は、常染色体劣性疾患、常染色体優性疾患、性染色体性、ミトコンドリア性及び／又は染色体外性の疾患、又は遺伝的素因に帰属させることができる疾患からなる群から選択されることを特徴とする、請求項２９に記載の磁気誘引用のシステム又はキットの使用。
【請求項３１】
前記増殖性疾患は、腫瘍、前がん状態、異形成、神経内分泌腫瘍、子宮内膜症、及び化生からなる群から選択されることを特徴とする、請求項２９に記載の磁気誘引用のシステム又はキットの使用。
【請求項３２】
前記自己免疫疾患は、関節リウマチ、炎症性腸疾患、変形性関節症、神経因性疼痛、円形脱毛症、乾癬、乾癬性関節炎、急性膵炎、同種移植片拒絶、アレルギー、肺のアレルギー性炎症、多発性硬化症、アルツハイマー病、クローン病、及び全身性エリテマトーデスからなる群から選択されることを特徴とする、請求項２９に記載の磁気誘引用のシステム又はキットの使用。
【請求項３３】
前記感染症疾患は、寄生虫性疾患、細菌性疾患又はウイルス性疾患からなる群から選択されることを特徴とする、請求項２９に記載の磁気誘引用のシステム又はキットの使用。
【請求項３４】
前記ホルモン疾患は、糖代謝、脂質代謝、タンパク質代謝、性発達及び生殖、水分−塩分バランス、成長及び細胞生成からなる群から選択されることを特徴とする、請求項２９に記載の磁気誘引用のシステム又はキットの使用。
【請求項３５】
治療用細胞を磁気誘引する方法であって、
ａ．治療用細胞を選択する工程と、
ｂ．前記細胞を磁性粒子で標識する工程と、
ｃ．ｂ．に記載の前記細胞を身体へ導入する工程と、
ｄ．磁気要素を有する装置を前記身体へ導入する工程と、
ｅ．前記標識した細胞を前記装置の磁気要素によって磁気誘引及び結合する工程と、
を含む、方法。